(57)【特許請求の範囲】
【請求項１】
スクリーンに表示するための電子イメージを選択するシステムであって、
解析のために用いられる照明雰囲気に関する入力を受信し、前記受信した入力を主要カラーに関して解析し、前記解析した主要カラーを出力する入力解析手段と、
少なくとも１つの電子イメージを受信し、前記少なくとも１つの電子イメージをそのイメージ内の主要カラーに関して解析し、前記解析した主要カラーを出力するイメージ解析手段と、
前記入力解析手段及び前記イメージ解析手段からそれぞれ出力された主要カラーを受信し、前記受信した主要カラーを処理し、その処理に基づいて所定の電子イメージを選択し、前記所定の電子イメージの選択に関する信号を少なくとも１つのスクリーンに送信するイメージ選択手段と、
を含むことを特徴とするシステム。
【請求項２】
前記イメージ解析手段は更に、ローカルデータベース、ネットワークデータベース、データ記憶装置、ユーザ入力、電子イメージを表示するスクリーン、コンピュータ、電子額縁、デジタル写真またはビデオカメラ、ビデオレコーダまたはプレーヤ、写真またはビデオプレーヤの１つまたはそれ以上から電子イメージを受信するようになっていることを特徴とする請求項１に記載のシステム。
【請求項３】
前記入力解析手段は更に、ローカルデータベース、ネットワークデータベース、データ記憶装置、照明雰囲気を自動的に作出する照明システム、光センサ、カラースキャナ、カラーセンサ、カラーホイール、カラー走査及びポインティングデバイスの１つまたはそれ以上から入力を受信するようになっていることを特徴とする請求項１または２に記載のシステム。
【請求項４】
前記入力解析手段は更に、前記受信した入力を、所定の色空間内に表され且つ入力に使用されている１つのカラー、１組のカラーに基づいて、または、前記入力内に使用されている１つまたはそれ以上のカラーから導出された１つのカラーラベルまたは１組のカラーラベルに基づいて、主要カラーに関して解析するようになっていることを特徴とする請求項１乃至３の何れか１項に記載のシステム。
【請求項５】
前記イメージ解析手段は更に、電子イメージを、望ましくないと分類される表現、所定のアスペクト比、画質、分解能、および所定の審美性に関する値の１つまたはそれ以上に関してチェックするようになっていることを特徴とする請求項１乃至４の何れか１項に記載のシステム。
【請求項６】
前記イメージ解析手段は更に、前記出力された主要カラーを前記入力解析手段から受信し、受信した前記出力された主要カラーに基づいて電子イメージを検索するようになっていることを特徴とする請求項１乃至５の何れか１項に記載のシステム。
【請求項７】
雰囲気作出システムであって、
幾つかの光ユニットを含み、前記光ユニットを用いて照明雰囲気を自動的に生成するようになっている照明システムと、
電子イメージを表示する幾つかのディスプレイユニット、及び入力に基づいて、電子イメージを自動的に選択するための請求項１乃至６の何れか１項に記載のシステムを含むイメージ表示システムと、
を含むことを特徴とする雰囲気作出システム。
【請求項８】
スクリーンに表示するための電子イメージを選択するためのシステムを作動させる方法であって、
システムの入力解析手段により、解析のために用いられる照明雰囲気に関する入力を受信し、前記受信した入力を主要カラーに関して解析するステップと、
前記入力解析手段により、前記解析した主要カラーを出力するステップと、
システムのイメージ解析手段により、少なくとも１つの電子イメージを受信し、前記少なくとも１つの電子イメージをそのイメージ内の主要カラーに関して解析するステップと、
前記イメージ解析手段により、前記解析した主要カラーを出力するステップと、
システムのイメージ選択手段により、前記入力解析手段及び前記イメージ解析手段からの前記出力された主要カラーを受信し、前記受信した主要カラーを処理するステップと、
前記イメージ選択手段により、前記処理に基づいて所定の電子イメージを選択し、前記選択された所定の電子イメージを少なくとも１つのスクリーンに送信するステップと、
を含むことを特徴とする方法。
【請求項９】
コンピュータに請求項８に記載の方法を遂行させることを可能にするコンピュータプログラム。
【請求項１０】
請求項９に記載のコンピュータプログラムを格納する記録媒体。
【請求項１１】
請求項８に記載の方法を遂行するようにプログラムされ、電子イメージを表示させるために１つまたはそれ以上の電子ディスプレイと通信するためのインタフェースを含むコンピュータ。
【発明の詳細な説明】
【技術分野】
【０００１】
本発明は、入力に基づいて、スクリーン上に表示される電子イメージを自動的に選択する技術に関する。
【背景技術】
【０００２】
ソリッドステート照明はカラー照明及びダイナミックスを含む新しい形状を可能にし、室または建物内にあらゆる種類の雰囲気を作出することを可能にする。家庭、小売商店、またはホスピタリティ環境のような環境における雰囲気は、照明、音響、及びイメージによって影響され得る。今日では、イメージは通常ビデオまたは写真カメラを用いて撮影され、データキャリヤ上に電子的に格納され、コンピュータ、またはＴＶモニタ、または電子額縁のようなフラットパネルディスプレイ上に表示される。
【０００３】
US 2007 / 0133212 A1に記載されている照明デバイスは、照明デバイスが背景壁または周囲に環境光を投射して快適さ及びビューイング体験を改善するように、テレビジョンセット、コンピュータモニタ、またはオーディオ装置に接続することが可能である。デバイスは、少なくとも１つのイメージの一部分、または少なくとも１つのメロディのリズムの一部分から抽出することができるディスプレイ情報を受入れるトランシーバを含むことができる。トランシーバによって集められたディスプレイ情報は、光源を制御して光を時間変化式に分配したり、または空間に広げたりさせるのに使用することができる。このデバイスを用いると、例えばテレビジョンセットまたはコンピュータモニタのディスプレイ情報によって照明雰囲気に影響を与えることができる。
【発明の概要】
【発明が解決しようとする課題】
【０００４】
本発明の目的は、環境内の雰囲気に自動的に影響を与えることができる新しいシステム及び方法を提供することである。
【課題を解決するための手段】
【０００５】
上記目的は、特許請求の範囲に記載の独立項によって達成される。さらなる実施形態は、従属項に示されている。
【０００６】
本発明の基本的なアイディアは、照明雰囲気またはカラー入力のような入力に基づいて、スクリーン上に表示される電子イメージを自動的に選択することである。これによって、家庭、小売商店、またはホスピタリティ環境のような環境における雰囲気に自動的に影響を与えることができる。ユーザは、最早、手動でイメージを選択することにより、特に所望の雰囲気にフィットする適当なイメージを探し出すためのかなり複雑な仕事（この仕事は、熟練した人でも時間と努力を要することが多い）を実行して所望の雰囲気を作出する必要はない。その代わりとして、本発明は、例えば異なる雰囲気を提供する電子イメージを含むデータベースから電子イメージを自動的に選択することによって、例えば所望の照明雰囲気にフィットするイメージを選択する自動的手法を創作する。
【０００７】
本発明の実施形態は、入力に基づいて、電子イメージを自動的に選択するシステムを提供する。上記システムは、
−入力を受信し、受信した入力を主要（ドミナント）カラーに関して解析し、そして解析した主要カラーを出力するようになっている入力解析手段と、
−電子イメージを受信し、各電子イメージをイメージ内の主要カラーに関して解析し、そして解析した主要カラーを出力するようになっているイメージ解析手段と、
−出力された主要カラーを入力解析手段及びイメージ解析手段から受信し、受信した主要カラーを処理し、その処理に基づいて電子イメージを選択し、そしてその選択を信号で送るようになっているイメージ選択手段と、
を含む。
【０００８】
本明細書で使用する入力とは、カラー情報を含む何等かの考え得る入力のことである。入力は、例えば出願人の「リビングカラーズ（LivingColorsTM）」灯のリモートコントロールから送出された時に、照明システムを用いてカラーをセットするためのリモートコントロール信号のような直接カラー情報を有する信号であることも、またはある範囲のカラーを含む照明雰囲気のようなより複雑な入力であることもできる。本明細書で使用する入力という語は広い意味を有していることを理解されたい。即ち、ある電子システムのための考え得る各入力であると考えるべきであり、この入力は、その入力に含まれる１つまたはそれ以上のカラーに関して解析することができるものである。例えばこのシステムは、例えば雰囲気に影響を与えるために電子ピクチャを表示するように設けられたフラットパネルディスプレイ、電子額縁、コンピュータモニタ、その他の何等かのスクリーンのようなスクリーンのためのスタンドアロン電子制御デバイスとして実現することができる。制御デバイスは、スクリーンを制御するインタフェースを含むことができ、特定的には、表示するためにシステムによって選択された電子イメージをスクリーンへ伝送し、また電子イメージを受信するインタフェースを含むことができる。システムは、自動イメージ選択メカニズムによってある雰囲気作出システム（例えば照明システム）の機能を拡張するために、その雰囲気作出システムのためのモジュールとして実現することもできる。このシステムの１つの応用例は、家庭に居るユーザの電子ディスプレイの内容の自動制御である。この内容は、例えば家庭用照明システムによって作出することができる現照明雰囲気に基づいて自動的に選択される。この仕事を遂行するために、例えばユーザのスクリーン及び／またはＴＶセットにシステムを結合し、選択されたイメージを表示させることができる。
【０００９】
イメージ解析手段は、本発明の別の実施形態では、ローカルデータベース、ネットワークデータベース、データ記憶装置、ユーザ入力、電子イメージを表示するスクリーン、コンピュータ、電子額縁、デジタル写真またはビデオカメラ、ビデオレコーダまたはプレーヤ、写真またはビデオプレーヤの１つまたはそれ以上から電子イメージを受信するようになっている。例えば、電子イメージは、ハードディスク、またはＤＶＤ（デジタルバーサタイルディスク）のような光データキャリヤのようなデータキャリヤ上のローカルデータベース内に格納することができる。イメージは、例えばコンピュータネットワーク内のデータベースサーバ上に設けることができるネットワークデータベース内に格納することもできる。電子イメージは、例えば、ハードディスク、ＤＶＤ、ＣＤ−ＲＯＭ、またはメモリカードのようなデータ記憶装置上にファイルとして格納することもできる。イメージ解析手段は、例えば、直列または並列コンピュータインタフェースまたはビデオ信号インタフェースのような専用インタフェースを介してシステムに直接接続することができるデジタル写真またはビデオカメラ、ビデオレコーダ、写真またはビデオプレーヤのようなイメージ処理装置から直接電子イメージを受信することができる。
【００１０】
入力解析手段は、本発明の一実施形態によれば、更に、ローカルデータベース、ネットワークデータベース、データ記憶装置、照明雰囲気を自動的に作出するようになっている照明システム、光センサ、カラースキャナ、カラーセンサ、カラーホイール、カラー走査及びポインティングデバイスの１つまたはそれ以上からも入力を受信することができる。入力としての照明雰囲気は、例えば、ハードディスク上のようにローカルに、またはウェブサービスインタフェースを介してアクセス可能なインターネット内のようなネットワークデータベース上に、またはメモリカード、光データキャリヤ、ハードディスク上に１つまたはそれ以上のファイルとして格納することができる。また、システムを照明システムに接続し、この接続を介して照明システムから照明雰囲気を入手することができる。カラースキャナ、カラーセンサ、カラーホイール、カラー走査及びポインティングデバイスは、ユーザが好ましいカラーを直接入力するいろいろな機会を与える。例えば、ユーザは、カラースキャナまたはセンサより前に好ましいカラーを単純に保持することができ、好ましいカラーを気楽に選択するためにカラーホイールを使用することも、またはカラー走査及びポインティングデバイスを使用することもできる。このカラー走査及びポインティングデバイスは、ある位置から好ましいカラーをコピー（走査）して、別の位置において（典型的には、イメージ選択手段のインタフェースにおいて）そのカラーを再現（ポイント）するために使用することができる。このようにすると、イメージ選択により一層直接的に影響することが可能になる。例えば、ユーザは、彼女または彼が好み、主要カラーとして入力解析手段に解析させるカラーを、彼女または彼が入力することによって自動イメージ選択プロセスに影響を与えることができる。次いで、ユーザのカラー入力は、イメージの選択が入力されたカラーに基づくような手法でイメージ選択手段に処理させることができる。
【００１１】
本発明の一実施形態によれば、入力解析手段は更に、所定の色空間内に表され且つ入力内に使用されている１つのカラー、１組のカラーに基づいて、または入力内に使用されている１つまたはそれ以上のカラーから導出された１つのカラーラベルまたは１組のカラーラベルに基づいて、受信した入力を主要カラーに関して解析することもできる。例えば、入力としての照明雰囲気は、１つの有力なカラーに関して解析することができる。このカラーは、主要カラーとして出力することができ、これをイメージ選択のために使用することができる。しかしながら、照明雰囲気は１組のカラーに関して、特に有力なカラーに関して解析することも可能であり、従って、１つの主要カラーより多くのカラーに基づいてイメージ選択をすることができる。また、照明雰囲気を１つの（１組の）カラー（ラベル）に基づいて解析することはできるが、普通は、カラーラベルは照明雰囲気のカラー組成の解析を必要としないので、雰囲気の解析プロセスがより迅速になる。
【００１２】
更に、イメージ解析手段は、本発明の一実施形態では、イメージ解析及び分類技術を適用することもでき、電子イメージを、望ましくないものとして分類された表現、所定のアスペクト比、画質、分解能、所定の審美値の１つまたはそれ以上の特性に関してチェックする。これにより、例えば、幾つかのイメージは、それらの表現が望ましくないと分類されるか、それらの画質が十分ではないか、それらの分解能が十分ではないか、またはそれらが審美値（ユーザが予め定めた値）を達成していない故に選択されないというように、自動イメージ選択を更に洗練させることができる。電子イメージの審美値は、例えばイメージのメタデータ内に決定しておくことができる。
【００１３】
本発明の別の実施形態では、イメージ解析手段は、入力解析手段から出力された主要カラーを受信し、受信した出力された主要カラーに基づいて電子イメージを検索することができる。即ち、カラーに基づくイメージ検索をイメージ解析手段によって遂行することができ、特に、所望のカラー組成を有するイメージをイメージ解析手段、方法（内容に基づく検索（ＣＢＩＲ）コミュニティにおいて拡張的に取扱われる）によって検索することができる。この分野における近年の開発及びより広いマルチメディア情報検索の概要に関しては、2006年の「マルチメディア計算、通信、及び応用に関するＡＣＭトランザクション」の１〜19頁に所載のM.Lew、N.Sebe、C.Djeraba、R.Jainの論文“内容に基づくマルチメディア情報検索：最新技術及びチャレンジ”を参照されたい。
【００１４】
本発明の別の実施形態は、雰囲気作出システムを提供する。このシステムは、
−幾つかの光ユニットを含み、これらの光ユニットを用いて自動的に照明雰囲気を生成する照明システムと、
−電子イメージを表示する幾つかのディスプレイユニット、及び本発明による、そして上述した照明システムによって作出される入力に基づいて電子イメージを自動的に選択するシステムを含むイメージ表示システムと、
を含む。
【００１５】
このような雰囲気作出システムは、雰囲気作出システムによって現在作出されているテーマまたはムードにフィットするイメージを用いて環境内に所望の雰囲気を自動的に作出するために、例えば家庭、小売商店、またはホスピタリティ環境内に設置することができる。
【００１６】
更に、本発明の一実施形態は、入力に基づいて電子イメージを自動的に選択する方法を提供する。本方法は、
−入力を受信し、その受信した入力を主要カラーに関して解析するステップと、
−解析した主要カラーを出力するステップと、
−電子イメージを受信し、各電子イメージをそのイメージ内の主要カラーに関して解析するステップと、
−解析した主要カラーを出力するステップと、
−出力された主要カラーを受信し、その受信した主要カラーを処理するステップと、
−処理に基づいて電子イメージを選択し、その選択を信号で送るステップと、
を含む。
【００１７】
本発明の別の実施形態によれば、コンピュータによって実行された時に本発明による上記方法を遂行させることを可能にするコンピュータプログラムが提供される。
【００１８】
本発明の別の実施形態によれば、本発明によるコンピュータプログラムを格納する、例えば、ＣＤ−ＲＯＭ、ＤＶＤ、メモリカード、ディスケットのような記録媒体、または電子アクセスのためのコンピュータプログラムを格納するのに適する類似のデータキャリヤが提供される。
【００１９】
最後に、本発明の実施形態は、本発明による方法を遂行するようにプログラムされ、電子イメージを表示するために１つまたはそれ以上の電子ディスプレイと通信するためのインタフェースを含むコンピュータを提供する。
【００２０】
本発明のこれらの、及び他の面は、以下に説明する諸実施形態を参照すれば明白になり、理解することができよう。
【００２１】
以下に、例示実施形態を参照して本発明を詳述する。しかしながら、本発明はこれらの例示実施形態に限定されるものではない。
【図面の簡単な説明】
【００２２】
【図１】入力としての照明雰囲気に基づいて、電子イメージを自動的に選択する本発明によるシステムの実施形態のブロック図である。
【図２】照明雰囲気作出灯に結合された電子イメージ自動選択システムの実施形態を示す図である。
【図３】入力としての照明雰囲気に基づいて、電子イメージを自動的に選択する本発明による方法の実施形態のフローチャートである。
【発明を実施するための形態】
【００２３】
添付図面及び以下の説明では、機能的に類似または同一の要素には、同一の番号を付してある。
【００２４】
将来の雰囲気作出システムは、照明に限定されるものではなく、作出される雰囲気にフィットする雰囲気イメージを表すために使用可能な電子ディスプレイ上の内容を制御することができるようになる。本発明は、照明雰囲気のような所与の入力にフィットする１つまたは複数の雰囲気イメージを、自動的にデータベース内で探し出すことができるシステムを提唱する。これは、例えば照明雰囲気のような所与の入力内の主要な又は優勢な１つまたはそれ以上のカラーを使用し、これらのカラーが有力又は目立つ雰囲気イメージを探し出すことによって達成される。
【００２５】
本発明の一実施形態では、図２に示すように、消費者は、カラー光要素（例えば「リビングカラーズTM」灯）のような照明システム２８を家庭に持つことができ、これは、幾つかのカラーＬＥＤ（発光ダイオード）を光ユニットとして含み、所望の照明カラーを選択するためのカラーホイールを有しているリモートコントロールユニット３０によって制御できる。所望の照明カラーをユーザが選択すると、それがリモートコントロールユニット３０から照明システム２８へ伝えられ、照明システム２８はカラーＬＥＤを適切に制御することによって所望の照明カラーを用いて照明雰囲気３２を自動的に作出する。照明システム２８は、自動イメージ選択システム１０と通信するインタフェースを含む。更に、自動イメージ選択システム１０は、ユーザが選択した所望の照明をリモートコントロールユニット３０から直接受信し、処理することもできる。システム１０は、異なる照明雰囲気のために設けられた異なる電子イメージを含むローカルデータベース１８へのアクセスを有している。システム１０は、システム１０を例えばＴＶまたはデジタル額縁のようなスクリーン２０に結合するための別のインタフェースを含む。システム１０のインタフェースは、ワイヤレス、ワイヤード、またはワイヤレス／ワイヤード複合通信リンクによって、照明システム２８及びスクリーン２０と通信することができる。例えば、システムは、ＷＬＡＮ（ワイヤレスローカルエリアネットワーク）、ブルートゥース（登録商標）、ジグビー（登録商標）、または別の無線通信インタフェース及び／またはＬＡＮ、ＵＳＢ（ユニバーサルシリアルバス）、ＩＥＥＥ 1394通信インタフェースを含むことができる。照明システム２８のためのカラーを選択することによって、システム１０は、選択されたカラーが優勢に又は顕著に存在するような雰囲気イメージを自動的に探し出して１つまたは複数のスクリーン２０上に表示することができる。また、小売商店またはホスピタリティ環境のようなプロフェッショナルな環境では、進歩した照明レンダリング要素に加えて、複数の電子ディスプレイが存在し得る。これらの電子ディスプレイは、情報または商業内容を提示することができるだけではなく、雰囲気作出システムによって現在作出されているテーマまたはムードにフィットする、特に、電子ディスプレイ上の内容を照明雰囲気内で有力な又は目立つ特定のカラーにマッチしたイメージを表示するためにも使用される。
【００２６】
図１は、照明システム２４によって作出された入力としての照明雰囲気に基づいて、電子イメージを自動的に選択するシステム１０の別の実施形態を詳細に示している。システム１０は、入力解析手段１２、イメージ解析手段１４、及びイメージ選択手段１６を含み、これらは例えば処理要素によって実現することができる。システム１０は、入力解析手段１２によって照明雰囲気を受信するために、照明システム２４に結合されている。システム１０は、照明雰囲気の記述を含むことができるデータ記憶装置２２にも結合されている。最後に、システム１０は、電子イメージを表示するために設けられているスクリーン２０に結合されている。
【００２７】
入力解析手段１２は、照明システム２４から照明雰囲気を受信してそれを解析するか、またはデータ記憶装置２２から照明雰囲気記述を読み出す。入力解析手段１２は、受信した照明雰囲気を主要カラーに関して解析し、解析した主要カラーをイメージ選択手段１６及びイメージ解析手段１４へ出力する。
【００２８】
イメージ解析手段１４は、特にイメージを次々に検索するために、ローカルデータベース１８から電子イメージを受信する。受信したイメージは、そのイメージ内の主要カラーに関して解析される。イメージ解析手段１４は、主要カラーをイメージ選択手段１６へ出力する。
【００２９】
イメージ選択手段１６は、入力解析手段１２及びイメージ解析手段１４から出力された主要カラーを受信し、受信した主要カラーを処理し、そして例えば、電子イメージ内に含まれる主要カラーが、解析された照明雰囲気内に含まれる主要カラーによって規定される色空間内にあるか否かを決定する。この処理に基づいて、スクリーン２０上に表示するために１つの電子イメージを選択することができ、イメージ選択手段１６はこの選択を信号化又は信号で送る。特定的には、表示させるためにスクリーン２０へ選択された電子イメージを送る。もし処理の結果として１つの電子イメージが選択されなければ、イメージ選択手段１６はイメージ解析手段から主要カラーを受信する。これらの主要カラーは、ローカルデータベース１８からイメージ解析手段１４によって読出された別の電子イメージの解析から得られたものである。このようにして、ローカルデータベース１８内に格納されている電子イメージは、照明システム２４によって作出された照明雰囲気に適する、従って１つまたはそれ以上のスクリーン２０上に適当なイメージを表示することを可能にする１つのイメージを得るために次々に検索される。
【００３０】
イメージ検索は、照明雰囲気内に使用されている１つのカラー、または１組のカラー（例えば、ＲＧＢのような適当な色空間内に表される）に基づいて、またはこれらのカラーから導出された１つの（１組の）カラーラベルに基づいて行うことができる。１組のカラー及びそれらの対応ラベルの例を以下の表に示す。
【００３１】
カラー（ｓＲＧＢ）        ラベル      
（255,   0,   0）          赤
（100,  20, 200）          紺青、青
（250, 150,   0）          橙
【００３２】
望ましいカラー組成を有するイメージを検索する際の問題は、「内容に基づく検索（ＣＢＩＲ）コミュニティ」において拡張的に取扱われる。当分野における最新の開発の概要、及びより広い「マルチメディア情報検索」に関する概要が、2006年の「マルチメディア計算、通信、及び応用に関するＡＣＭトランザクション」の１〜19頁にM.Lew、N.Sebe、C.Djeraba、R.Jainの論文“内容に基づくマルチメディア情報検索：最新技術及びチャレンジ”に記述されているので参照されたい。
【００３３】
検索カラーからラベルへの変換は、最近になって同一ＣＢＩＲコミュニティからある対応措置が得られた重要な仕事である。例えば、イメージ検索を改善するために人間の知覚及びカラー命名からの知識を使用する最新のシステムに関して、2005年５月の「イメージ処理に関するＩＥＥＥトランザクション１４」の690〜699頁に所載のA.Mojsilovicの論文「イメージのカラーに命名し、カラー組成を記述するための計算モデル」を参照されたい。
【００３４】
上述した方法のグループは共に、例示イメージまたは所望の結果のスケッチに類似するイメージを検索するために使用することができる。これに対して、本発明は、照明雰囲気を検索への入力とする定義を使用する。
【００３５】
イメージのデータベースは、コレル（Corel）（登録商標）イメージデータベースまたはユーザのローカルイメージデータベースのようなピクチャの（ローカル）の所与のデータベースであることも、またはグーグル（登録商標）イメージ検索エンジンまたはFlickr.comイメージデータベースのようなウェブサービスを通して利用可能にされるイメージであることもできる。ローカルデータベースの場合には、両アプローチを使用することができる。データベースの型に基づいて、イメージ毎にラベルの品質が異なり得る。ラベルは自動的に作出することも、またはユーザがFlickr.comにおけるものに似たイメージをアップロードすることによって手動で注釈付けすることもできる。
【００３６】
特に、もしそれ程制御されていないイメージのデータベースを使用するのであれば、イメージをその適否に関して選別することが望ましいであろう。例えば、暴力、裸体、大惨事等を含むイメージは望ましくないかも知れない。更に、アスペクト比、画質、分解能のような特性は、チェックする必要があるだろう。最終的に、あるイメージの審美値はどの程度か、またはそれが「雰囲気的」なイメージであるか否かをチェックすることが望ましいであろう。このために、イメージ解析及び分類技術を適用することができる。
【００３７】
カラースキャナ、カラーセンサ、カラーホイール、及びカラー走査及びポインティングデバイスのような種々のカラー制御ユーザ対話ソリューションを、ユーザによるカラー入力のためのインタフェース２６として、システム内に適用することができる。従って、ユーザは、電子イメージの選択に、より直接的に影響を与えることができる。
【００３８】
カラー走査及びポインティングデバイスは、ユーザが「光によるペイント」、及び所望のカラーを気楽に入力することを可能にする。この所望のカラーは、その所望のカラーを含むある位置からユーザがコピーしたものである。このデバイスは、ユーザが別のルミナリ又は発光体をポイントすることによって、またはその環境内の色付き表面にタッチすることによって、あるカラーを選び、目標ルミナリをポイントすることによって、このカラーを“ペイント”することを可能にする。カラー走査及びポインティングデバイスで電子ディスプレイにポイントする時に、それを、コピーされたカラーが有力な又は目立つ雰囲気イメージをディスプレイ上に自動的に作出するために使用することができる。ユーザがカラー走査及びポインティングデバイスの“ペースト”ボタンを複数回押圧することによって、複数の適当なイメージを簡単に次々に“トグル”させることができ、それによって最も望ましいイメージを選択できることが理解できよう。カラー走査及びポインティングデバイスは、ワイヤレスまたはワイヤード通信リンクによってシステム１０と通信することができる。
【００３９】
家庭環境では、ユーザは、「リビングカラーズTM」灯のカラーを制御するためのカラーを入力する入力デバイスとしてカラーホイールを使用することができ、同時に、１つまたはそれ以上のディスプレイ（ＴＶ、デジタル額縁、ＰＣスクリーン）上のイメージは、選択されたカラーに対応するイメージを表示するように更新される。ユーザのデータベースからのピクチャを使用できるようにすると、ユーザの雰囲気を更に個別化する機会をユーザに与える。
【００４０】
小売商店、またはホスピタリティ環境には、ウォールウォッシング効果のためのＬＥＤパネル及びカラー照明を含む進歩した照明システムが存在し得る。選択された雰囲気プリセットに基づいて、本発明によるシステムは、現照明プリセット内で有力な１つまたはそれ以上のカラーを導出し、この情報を使用して相応する着色イメージを検索して利用可能なスクリーン上に表示することができる。
【００４１】
電子イメージは、静的（写真）または動的（ビデオ）であることができる。ユーザ入力インタフェース（図１の番号２６）を介してのように、ユーザが選択に参加することによって、例えば幾つかの見出されたイメージから選択するオプションがユーザに与えられ、性能の向上を援助することが可能になる。複数のイメージを必要とすることができる。例えば、複数のイメージを１つのスクリーン上に表示することができ、使用可能な複数のスクリーンが存在することができ、または、有力な照明カラーが変わらない状態でスクリーン上のイメージをしばしば更新することが望ましいかも知れない。これらの場合、全てのピクチャを通して一貫したテーマを有していることが望ましいであろう。この一貫性は、システムによって、またはユーザによって作出することができる。本発明によるシステムは、特定のカラーに関して見出されたイメージに共通のラベル（例えば、花、景色、自動車）を検出することができ、一方、例えばテキストエントリ、またはリストからの選択のような所望のテーマラベルを付加する可能性をユーザに与えることができる。
【００４２】
また、１つのイメージを、隣接する複数のディスプレイ上に広げることが望ましい。このためには、これらのディスプレイの相対的な位置取り、得られるアスペクト比、及び必要な分解能に関する知識が必要である。
【００４３】
図３は、入力としての照明雰囲気に基づいて、電子イメージを自動的に選択する方法のフローチャートである。ステップＳ１０において、照明雰囲気が受信され、この受信された照明雰囲気が主要カラーに関して解析される。Ｓ１２において、解析された主要カラーが出力される。次に、ステップＳ１４において、電子イメージが受信され、各電子イメージはそのイメージ内で主要カラーに関して解析される。ステップＳ１６において、解析された主要カラーが出力される。ステップＳ１８において、出力された主要カラーが受信され、これらの受信された主要カラーが処理される。最後に、ステップＳ２０において、処理に基づいてある電子イメージが選択され、その選択が信号化又は信号で送られる。この方法は、例えば、ＰＣ（パーソナルコンピュータ）によって実行させることができるコンピュータプログラムとして実現することができる。従って、ＰＣモニタ上に表示されるイメージを、コンピュータプログラムを用いて自動的に選択することができる。上述した方法は、特に照明雰囲気が動的である場合に、（単一のスタート・ストップシーケンスではなく）連続ループで実行させることもできる。これは、１つまたは複数の電子ディスプレイ上に表示されたイメージを自動的に更新する場合に有用であろう。
【００４４】
以上に説明した本発明を、照明システムに、または照明に制約されない雰囲気作出システムに適用することにより、これらのシステムは、作出された雰囲気にフィットする雰囲気イメージを表すのに使用できる電子ディスプレイ上の内容を制御できるようになる。本発明のさらなる応用は、家庭環境である。家庭環境においては、消費者がカラー光要素を家庭に有することができ、この要素を本発明の実施形態に従ってスクリーン、ＴＶ、または電子額縁に結合して満足できる雰囲気を作出することができる。本発明は、また、進歩した照明レンダリング要素をも備えている小売商店またはホスピタリティ環境にも適用することができる。このような環境では、複数の電子ディスプレイが情報または商用内容を提示することができるだけではなく、本発明の実施形態によれば、雰囲気作出システムによって現在作出されているテーマまたはムードにフィットするイメージを表示するためにも使用することができる。
【００４５】
本発明の機能の少なくとも幾つかは、ハードウェアまたはソフトウェアによって遂行させることができる。ソフトウェアで実現する場合には、本発明を実現する単一の、または複数のアルゴリズムを処理するために、単一のまたは複数の標準マイクロプロセッサまたはマイクロコントローラを使用することができる。
【００４６】
“を備えている”または“を含む”という語は、他の要素またはステップを排除するものではなく、また“ある”または“１つの”という語は複数のものを排除するものではないことに留意されたい。更に、特許請求の範囲に記載されている参照符号が、本発明の範囲を限定するものではない。
【図１】
0005823694.tif 000002
【図２】
0005823694.tif 000003
【図３】
0005823694.tif 000004